(57)【特許請求の範囲】
【請求項１】
底面が開放されたキャビネット枠と、このキャビネット枠に対して昇降自在に支持される昇降ラックとを備えた吊戸棚であって、
前記昇降ラックは、ブラケットを介して設けられ前記昇降ラックを上昇する方向に付勢する付勢部材と、前記キャビネット枠と前記昇降ラックとの間に設けられたリンク部材との連動によって昇降され、
前記ブラケットを移動させて前記昇降ラックに作用する力点の位置を変えることにより、前記昇降ラックを上昇させるための付勢力の大きさを切替えるように構成されており、
前記キャビネット枠の側板には、前記昇降ラックを上下に昇降自在とするための昇降ガイドレールと、前記ブラケットが前後方向にスライド自在とするための移動ガイドレールとが形成されていることを特徴とする吊戸棚。
【請求項２】
請求項１において、
前記リンク部材は、その一端部が前記昇降ラックに設けられた溝部にスライド自在に取り付けられ、他端部が前記キャビネット枠に設けられた固定軸部に回転自在に係止されており、
該リンク部材の中央部には、前記ブラケットの移動によって前記付勢部材の一端部の係止位置を移動させるスライド孔が形成されていることを特徴とする吊戸棚。
【発明の詳細な説明】
【技術分野】
【０００１】
本発明は、キャビネット枠と、昇降ラックと、扉とを備えた吊戸棚に関する。
【背景技術】
【０００２】
従来より、フロアキャビネット等の上方の壁面に設けられた吊戸棚として、該吊戸棚に収納した物の出し入れをし易くするため、吊戸棚のキャビネット枠の底面を開放し、上下に昇降自在とした昇降ラックを備えたものが知られている。
このような吊戸棚においては、定荷重バネを使用して昇降ラックを上下に昇降自在としたものがある。定荷重バネは、一定の重量のものを上げ下げする場合には、常に一定の力を作用させることができるので、好適であるが、昇降ラックのように昇降ラック内に収納する物の量によって昇降ラックにかかる荷重が変動する場合には、不都合が生じる。
例えば、高荷重時にも対応できるバネ力の強い定荷重バネを用いると、昇降ラック内の収納物が少なく低荷重の場合に、昇降ラックを下降させる際に大きな力が必要になる。また例えば、低荷重時に合わせたバネ力の弱い定荷重バネを用いると、多くの収納物を収納し高荷重となった場合に、昇降ラックを上昇させる際に大きな力が必要になってしまう。
【０００３】
そこで、バネを複数個設け、昇降ラックに収納される収納物の重さに応じて、使用するバネを切替えて使用するものが提案されている。
例えば下記特許文献１には、昇降ラックを昇降自在とした吊戸棚が開示されており、バネ手段として定常バネと、バネ力切り替え手段にてバネ力を付加する状態と付加しない状態とに切り替えられる切替バネとを備えたものが記載されている。
これによれば、バネ力切り替え手段によってバネ力を多段階に切り替えることができるので、収納体の荷重にあったバネ力を容易に選択することができる。
【先行技術文献】
【特許文献】
【０００４】
【特許文献１】特開２００４−２１６１９８号公報
【発明の概要】
【発明が解決しようとする課題】
【０００５】
しかしながらこのように多段階に切り替えられるものは、複数のバネを要し機構が複雑になる点が問題となる。
【０００６】
本発明は、上記実情に鑑みてなされたものであり、昇降ラックに作用する力点の位置を変えることで、収納物の重量に応じて付勢力の大きさを切替えることができる吊戸棚を提供することを目的としている
【課題を解決するための手段】
【０００７】
上記目的を達成するために、本発明に係る吊戸棚は、底面が開放されたキャビネット枠と、このキャビネット枠に対して昇降自在に支持される昇降ラックとを備えた吊戸棚であって、前記昇降ラックは、ブラケットを介して設けられ前記昇降ラックを上昇する方向に付勢する付勢部材と、前記キャビネット枠と前記昇降ラックとの間に設けられたリンク部材との連動によって昇降され、前記ブラケットを移動させて前記昇降ラックに作用する力点の位置を変えることにより、前記昇降ラックを上昇させるための付勢力の大きさを切替えるように構成されており、前記キャビネット枠の側板には、前記昇降ラックを上下に昇降自在とするための昇降ガイドレールと、前記ブラケットが前後方向にスライド自在とするための移動ガイドレールとが形成されていることを特徴とする。
【０００８】
また本発明において、前記リンク部材は、その一端部が前記昇降ラックに設けられた溝部にスライド自在に取り付けられ、他端部が前記キャビネット枠に設けられた固定軸部に回転自在に係止されており、該リンク部材の中央部には、前記ブラケットの移動によって前記付勢部材の一端部の係止位置を移動させるスライド孔が形成されているものとしてもよい。
【発明の効果】
【０００９】
本発明に係る吊戸棚によれば、ブラケットを移動させ、昇降ラックに作用する力点の位置を変えることで、収納物の重量に応じて付勢力の大きさを切替えることができる。
【図面の簡単な説明】
【００１０】
【図１】（ａ）〜（ｄ）は、本発明の一実施形態に係る吊戸棚を構成する主な構成部材をそれぞれ示した模式的側面図である。
【図２】同吊戸棚の昇降ラックの昇降機構を説明するために模式的に示した線図である。
【図３】（ａ）、（ｂ）は同吊戸棚の昇降ラックに作用する付勢力を説明するために模式的に示した線図である。
【図４】（ａ）、（ｂ）は同吊戸棚の側面図であり、低荷重時における昇降ラックの昇降動作を説明するための図である。
【図５】（ａ）、（ｂ）は同吊戸棚の側面図であり、高荷重時における昇降ラックの昇降動作を説明するための図である。
【発明を実施するための形態】
【００１１】
以下に本発明の実施の形態について、図面に基づいて説明する。
本実施形態に係る吊戸棚１は、底面が開放されたキャビネット枠２と、このキャビネット枠２に対して昇降自在に支持される昇降ラック３とを備えている。
昇降ラック３は、ブラケット５を介して設けられ昇降ラック３を上昇する方向に付勢する付勢部材７と、キャビネット枠２と昇降ラック３との間に設けられたリンク部材８との連動によって昇降され、ブラケット５を移動させて昇降ラック３に作用する力点（７０ａ）の位置を変えることにより、昇降ラック３を上昇させるための付勢力の大きさを切替えるように構成されている。
なお、図では、説明のため、キャビネット枠２に設けられた一方（紙面手前側）の側板２１、また昇降ラック３を挟んで両側に設けられるブラケット５及びリンク部材８の一方（紙面手前側）の図示は省略する。また昇降ラック３の側板３１の外面に形成される溝部３６も、説明のため、紙面手前側に形成されている溝部の図示を省略する。さらに以下の説明における前後及び上下方向の位置関係は、吊戸棚１に対面した使用者を基準として説明する。
【００１２】
以下、吊戸棚１の構造を詳しく説明する。
キャビネット枠２は、天板２０と、左右に配された一対の側板２１，２１と、背板２２とを備えた直方体形状の箱体からなり、底面と前面とは開放され、開口部２３，２４が形成されている。
キャビネット枠２の前面の開口部２４は、扉４によって塞がれており、ヒンジ部（不図示）などに連結され開閉自在に構成されている。
キャビネット枠２の側板２１には、昇降ラック３を上下に昇降自在とするための昇降ガイドレール２５，２６が形成されているとともに、ブラケット５が昇降ラック３の昇降に伴って前後方向にスライド自在とするための移動ガイドレール２７，２８が形成されている。
昇降ガイドレール２５，２６は、キャビネット枠２の側板２１の内面側に略垂直方向に２本が間隔を空けて断面視して凹状に掘削して形成されている。また移動ガイドレール２７，２８は、キャビネット枠２の側板２１の内面側に略水平方向に２本が間隔を空けて断面視して凹状に掘削して形成されている。
【００１３】
またキャビネット枠２の側板２１の内面側には、リンク部材８の他端部８１が係止されリンク部材８のピンとなる固定軸部２１ａが形成されている。固定軸部２１ａは、側板２１の内面から突出した円筒体からなり、リンク部材８の他端部８１に形成された貫通孔８１ａが係止されるように形成されている。
固定軸部２１ａは、昇降ラック３の昇降させる機構における支点となり、側板２１の内面奥側に形成された昇降ガイドレール２６と側板２１の内面下方側に形成された移動ガイドレール２８とが交わる角部近傍に設けられている。
【００１４】
扉４は方形状の薄板体４０からなり、扉４の前面には扉４を開閉する際の扉取っ手４１が設けられている。扉取っ手４１は、扉４の前面から前方向に突出するように略水平方向に設けられた棒状体で構成されている。
ここでは扉取っ手４１が断面視して方形状の例を示しているが、これに限定されず円形状、楕円形状、或いは多角形状などとしてもよい。
なお、図ではキャビネット枠２の前面は扉４によって開閉自在に構成されている例について説明するが、これに限定されず扉４を備えず底面のみが開口され前板によって塞がれたキャビネット枠２としてもよい。
また扉４の開閉機構も上述のヒンジ部によって連結されたものに限定されず、キャビネット枠２に設けられたガイド溝（不図示）に沿ってスライド移動しながら、開閉するものとしてもよい。
【００１５】
キャビネット枠２と昇降ラック３の間には、昇降ラック３を略鉛直方向にスムーズに昇降させるためのブラケット５とリンク部材８とが設けられている。
ブラケット５はキャビネット枠２の側板２１の内側と、昇降ラック３の側板３１の外側との間に設けられる板体からなり、キャビネット枠２側に配される外面には、移動ガイドレール２７，２８に嵌合され突出して形成された嵌合レール（不図示）が上下に形成されている。
ブラケット５の下方端部には、キャビネット枠２と昇降ラック３との間に組み付けた際に、それらの隙間から若干突出するように形成された切替えレバー６となる突出片が形成されている。
ブラケット５は移動ガイドレール２７，２８に沿って前後にスライド自在に構成されており、切替えレバー６を後退させる方向に押せばブラケット５が後ろ方向に移動する一方、切替えレバー６を前方向に引けばブラケット５が前方向に移動する。
切替えレバー６は、キャビネット枠２と昇降ラック３との隙間に且つキャビネット枠２の側板２１の下端部から突出して配される。
従って、キャビネット枠２内に昇降ラック３が収められた状態でも、キャビネット枠２内から昇降ラック３が出て下降した状態でも、切替えレバー６をつまんで切替えレバー６を前後方向にスライド移動させれば、ブラケット５を前後方向にスライド移動させることができる。
【００１６】
ブラケット５の昇降ラック３の側板３１の外面と対面する側には、付勢部材７となる定荷重バネがブラケット５の一方端（図では上端部）からリンク部材８のスライド孔８２に掛け渡されている。付勢部材７の定荷重バネのバネ力の設定は、例えば低荷重時の重量を設定すれば、高荷重時においても同じ力で楽に昇降ラック３を昇降させることができる。
ブラケット５の一方端には、付勢部材７を巻取り及び引き出し自在とする支持ブラケット７１が設けられ、支持ブラケット７１には、バネ軸部７１ａを備えた巻取りドラム（不図示）が構成されている。
付勢部材７１は、長尺で帯状の平板の巻きバネ体からなり、バネ軸部７１ａに巻きつけられ、繰出した量（ストローク）に関係なく一定の力を作用させれば、巻取り及び引き出しの往復をするスプリング機能を発揮する。
支持ブラケット７１から下方に向かって引き出された付勢部材７の繰出し端７０には、リンク部材８のスライド孔８２に係止されるように突出して形成され円筒体からなる軸部７０ａが設けられている。
従って、切替えレバー６による切替え操作によってブラケット５が移動し、これに伴い軸部７０ａがリンク部材８のスライド孔８２の一方端８２ａから他端８２ｂの間を移動し、昇降ラック３に作用する力点（軸部７０ａ）の位置を変えることができる。
なお、ここで軸部７０ａの先端には、スライド孔８２を移動しやすいように回転するローラが設けられたものとしてもよい。
【００１７】
リンク部材８は、キャビネット枠２と昇降ラック３との間に設けられ、図１（ｃ）に示すように細長の板体からなる。
リンク部材８の中央部には、ブラケット５の移動によって付勢部材７の一端部、すなわち繰出し端７０の係止位置を移動自在とする上述のスライド孔８２が形成されている。
リンク部材８の一端部８０は、昇降ラック３に設けられた横長形状の溝部３６にスライド自在に取り付けられ、他端部８１は、キャビネット枠２に設けられた固定軸部２１ａに回転自在に係止されている。
リンク部材８の一端部８０には、昇降ラック３の側板３１に形成された溝部３６に係止されるように突出した円筒体８０ａが設けられ、この円筒体８０ａの先端には、溝部３６内をスライド移動しやすいように回転するローラ（不図示）が設けられたものとしてもよい。
リンク部材８の他端部８１は、キャビネット枠２の側板２１から突出して設けられた固定軸部２１ａに係止されるように固定軸部２１ａの径に合わせて貫通孔８１ａが形成されている。
【００１８】
昇降ラック３は、キャビネット枠２の底面に形成された開口部２３からキャビネット枠２の内外を昇降自在に構成されている。
昇降ラック３は、天板３０と、左右に配された一対の側板３１，３１と、背板３２と、底板３３とを備えた直方体形状の箱体からなり、前面が開放され開口部３４が形成されている。
昇降ラック３の下方部位、すなわち底板３３の外面側から突出して昇降ラック３を上下に上げ下げする際の持ち手となるラック取っ手３５が略水平に設けられている。ここではラック取っ手３５の持ち手が断面視して円形状の例を示しているが、これに限定されず楕円形状、或いは多角形状などとしてもよい。
【００１９】
昇降ラック３の側板３１の外面側上端部における扉４側（前面側）には、昇降ラック３を昇降される際の作用点となるリンク部材８の一端部８０に設けられた円筒体８０ａが係止され、円筒体８０ａがスライドする上述の溝部３６が形成されている。溝部３６は昇降ラック３の上下の昇降動作に伴って、リンク部材８の一端部８０が略水平方向にスライドするように略水平方向横長に堀削して形成されている。溝部３６の溝幅は円筒体８０ａの径に合わせて形成されている。
また昇降ラック３の側板３１の外面側には、キャビネット枠２に形成された昇降ガイドレール２５，２６に沿って略鉛直方向に上下に移動するように突出して形成された突出レール（不図示）が形成されている。
なお、図では上述したように一対の側板３１のうち一方側に形成された溝部３６しか図示していないが、実際には両側板３１のそれぞれに形成されている。
【００２０】
以上によって構成される吊戸棚１の昇降ラック３の昇降機構についてさらに詳しく説明する。
図２及び図３（ａ）、（ｂ）には、昇降ラック３の昇降機構を説明するために各構成部材を線図で示している。従って、図２及び図３（ａ）、（ｂ）では、キャビネット枠２の外形や昇降ガイドレール２５，２６の図示等は省略しており、付勢部材７も簡略化して示している。
まずブラケット５を介して設けられ昇降ラック３を上昇する方向に付勢する付勢部材７は、昇降ラック３の昇降動作と連動して動くリンク部材８の動作によって巻取りドラムに設けられたバネ軸部７１ａに巻取られたり、引き出されたりする往復運動を繰り返す。
次いでリンク部材８は、固定軸部２１に回転自在に係止された他端部８１を回転軸として、一端部８０が昇降ラック３の昇降動作に伴って溝部３６内を移動しながら、上方或いは下方へと弧を描くように回動するよう構成されている。
そして、ブラケット５に設けられた切替えレバー６を前後方向に動かす切替え操作によってリンク部材８のスライド孔８２に係止された軸部７０ａが移動し、付勢部材７の係止位置を移動させることにより、昇降ラック３に作用する力点の位置を変えることができる。
【００２１】
図３（ａ）は軸部７０ａがスライド孔８２の他端８２ｂに係止されている状態を示しており、この状態では支点となる固定軸部２１ａから力点となる軸部７０ａまでの距離はｂ１となる。
一方、図３（ｂ）は軸部７０ａがスライド孔８２の一方端８２ａに係止されている状態を示しており、この状態では支点となる固定軸部２１ａから力点となる軸部７０ａまでの距離はｂ２となる。
このように軸部７０ａのスライド孔８２の係止位置によって、支点となる固定軸部２１ａから力点となる軸部７０ａまでの距離を異ならせることができ、これによって昇降ラック３に作用する力Ｆ１，Ｆ２を異ならせることができる。
すなわち、支点となる固定軸部２１ａから力点となる軸部７０ａまでの距離がｂ１＜ｂ２の関係となるので、図３（ｂ）における軸部７０ａの係止位置の方が、図３（ａ）における軸部７０ａの係止位置よりも大きな力のモーメントを作用させることができる。
従って、昇降ラック３に収納された物が少なく低荷重のときは、軸部７０ａの係止位置をスライド孔８２の他端８２ｂに係止させればよい（図３（ａ）の状態）。また昇降ラック３に収納された物が多く高荷重のときは、軸部７０ａの係止位置をスライド孔８２の一方端８２ａに係止させればよい（図３（ｂ）の状態）。
【００２２】
続いて、図４、図５を参照しながら、吊戸棚１の昇降時の動作状態についてさらに詳しく説明する。なお、ブラケット５、付勢部材７及びリンク部材８は、昇降ラック３を挟んで両側に設けられるものであるので、切替えレバー６の操作も左右両方を操作することになるが、同じ動作状態となるので、ここではその説明を省略する。
図４（ａ）、（ｂ）には、低荷重時における吊戸棚１が示されており、図４（ａ）は昇降ラック３がキャビネット枠２外から出て下降した状態、図４（ｂ）は昇降ラック３がキャビネット枠２内に収められた状態を示している。
昇降ラック３の中に収納されている物が少ない或いは収納されているものを取り出して空になった場合など低荷重時には以下のような昇降動作を行うことができる。
まず図４（ａ）に示すように、昇降ラック３が下降した状態で、切替えレバー６が奥側にあるかを確認し、切替えレバー６が奥側にない場合は、切替えレバー６を奥に移動させて止まる位置まで押す。
切替えレバー６がキャビネット枠２の奥側に向かって移動させられると、これに伴いブラケット５が移動ガイドレール２７，２８に沿って奥へと移動する。すると、軸部７０ａがスライド孔８２内をスライドして他端８２ｂに係止されるとともに、リンク部材８の一端部８０に設けられた円筒体８０ａは、昇降ラック３の溝部３６の一方端３６ａに係止された状態となる（図４（ａ）参照）。
【００２３】
そして、その後、ラック取っ手３５を掴んで上方へ昇降ラック３を押し上げる。
すると、昇降ラック３の上昇に伴って、円筒体８０ａが略水平方向に溝部３６内を一方端３６ａから他端３６ｂへ向かって移動する。またこれに連動してリンク部材８はリンク部材８とピン結合されている固定軸部２１ａを軸に、弧を描くように上方へと回動する。さらにこれに連動して付勢部材７が昇降ラック３を上昇させる方向に付勢力を発揮し、巻取りドラムのバネ軸部７１ａに巻き取られ、その繰出し量が昇降ラック３が下降していた状態よりも少ない（短い）状態となる。
こうして昇降ラック３がキャビネット枠２内に収まる位置まで上昇すると、円筒体８０ａは溝部３６の他端３６ｂで係止された状態となる（図４（ｂ）参照）。
【００２４】
一方、低荷重の昇降ラック３をキャビネット枠２外へ下降させる際も、切替えレバー６が奥側にあるか確認し、切替えレバー６が奥側にない場合は、切替えレバー６が奥へと移動させて止まる位置まで押せばよい。
切替えレバー６がキャビネット枠２の奥側に向かって移動させられると、これに伴いブラケット５が移動ガイドレール２７，２８に沿って奥へと移動する。すると、軸部７０ａがスライド孔８２内をスライドして他端８２ｂに係止されるとともに、リンク部材８の一端部８０に設けられた円筒体８０ａは、昇降ラック３の溝部３６の他端３６ｂに係止された状態となる（図４（ｂ）参照）。
【００２５】
そして、その後、ラック取っ手３５を掴んで下方へ昇降ラック３を引きおろす。
すると、昇降ラック３の下降に伴って、円筒体８０ａが略水平方向に溝部３６内を他端３６ｂから一方端３６ａへ向かって移動する。またこれに連動してリンク部材８はリンク部材８とピン結合されている固定軸部２１ａを軸に弧を描くように上昇時とは反対方向の下方へと回動する。さらにこれに連動して付勢部材７が巻取りドラムから引き出され、その繰出し量が昇降ラック３が上昇していた状態よりも多い（長い）状態となる。
こうして昇降ラック３がキャビネット枠２外を出て下降すると、円筒体８０ａは溝部３６の一方端３６ａで係止された状態となる（図４（ａ）参照）。
【００２６】
図５（ａ）、（ｂ）には、高荷重時における吊戸棚１が示されており、図５（ａ）は昇降ラック３がキャビネット枠２外から出て下降した状態、図５（ｂ）は昇降ラック３がキャビネット枠２内に収められた状態を示している。
昇降ラック３の中に収納されている物が多い場合や重たいものが収納されているなど高荷重時には以下のような昇降動作を行うことができる。
まず図５（ａ）に示すように、昇降ラック３を下降した状態で、切替えレバー６が手前側にあるかを確認し、切替えレバー６が手前側にない場合は、切替えレバー６を手前に移動させて止まる位置まで引く。
切替えレバー６がキャビネット枠２の手前側に向かって移動させられると、これに伴いブラケット５が移動ガイドレール２７，２８に沿って前へと移動する。すると、軸部７０ａがスライド孔８２内をスライドして一方端８２ａに係止されるとともに、リンク部材８の一端部８０に設けられた円筒体８０ａは、昇降ラック３の溝部３６の一方端３６ａに係止された状態となる（図５（ａ）参照）。
【００２７】
そして、その後、ラック取っ手３５を掴んで上方へ昇降ラック３を押し上げる。
すると、昇降ラック３の上昇に伴って、円筒体８０ａが略水平方向に溝部３６内を一方端３６ａから他端３６ｂへ向かって移動する。またこれに連動してリンク部材８はリンク部材８とピン結合されている固定軸部２１ａを軸に、弧を描くように上方へと回動する。さらにこれに連動して付勢部材７が昇降ラック３を上昇させる方向に付勢力を発揮し、巻取りドラムのバネ軸部７１ａに巻き取られ、その繰出し量が昇降ラック３が下降していた状態よりも少ない（短い）状態となる。このときの付勢部材７の繰出し量は低荷重時よりもさらに少ない状態となる。
こうして昇降ラック３がキャビネット枠２内に収まる位置まで上昇すると、円筒体８０ａは溝部３６の他端３６ｂで係止された状態となる（図５（ｂ）参照）。
【００２８】
一方、低荷重の昇降ラック３をキャビネット枠２外へ下降させる際も、切替えレバー６が手前側にあるか確認し、切替えレバー６が手前側にない場合は、切替えレバー６が手前へと移動させて止まる位置まで引けばよい。
切替えレバー６がキャビネット枠２の手前側に向かって移動させられると、これに伴いブラケット５が移動ガイドレール２７，２８に沿って前へと移動する。すると、軸部７０ａがスライド孔８２内をスライドして一方端８２ａに係止されるとともに、リンク部材８の一端部８０に設けられた円筒体８０ａは、昇降ラック３の溝部３６の他端３６ｂに係止された状態となる（図５（ｂ）参照）。
【００２９】
そして、その後、ラック取っ手３５を掴んで下方へ昇降ラック３を引きおろす。
すると、昇降ラック３の下降に伴って、円筒体８０ａが略水平方向に溝部３６内を他端３６ｂから一方端３６ａへ向かって移動する。またこれに連動してリンク部材８はリンク部材８とピン結合されている固定軸部２１ａを軸に弧を描くように上昇時とは反対方向の下方へと回動する。さらにこれに連動して付勢部材７が巻取りドラムから引き出され、その繰出し量が昇降ラック３が上昇していた状態よりも多い（長い）状態となる。
こうして昇降ラック３がキャビネット枠２外を出て下降すると、円筒体８０ａは溝部３６の一方端３６ａで係止された状態となる（図５（ａ）参照）。
【００３０】
以上によれば、切替えレバー６を移動させ昇降ラック３に作用する力点の位置を変えることで、昇降ラック３の重量に応じて付勢力の大きさを容易に切替えることができる。
例えばバネ力の異なる複数のバネを用意し多段階に切り替えるものと比べると、切替え操作も容易で昇降機構も複雑ではないので、付勢力の大きさを切替えることに起因する故障も少ないものとすることができる。
従って、昇降ラック３の荷重が低荷重でも高荷重でも、昇降ラック３を上昇させる際に大きな力を要することなく、または逆に昇降ラック３を下降させる際に付勢力が強く作用して勢いあまって急に下降してしまうということもない。
さらに上述したように例えば付勢部材７のバネ力の設定を低荷重時にあわせたものとすれば、低荷重時に昇降ラック３を昇降させるときと同じ力を作用させることで、高荷重時でも楽に昇降ラック３を昇降させることができる。
【００３１】
以上、本実施形態に係る吊戸棚１の形状、構成は図例に限定されるものではない。また吊戸棚１は、キッチンのフロアキャビネット等の上方の壁面に設けられ、収納庫として使用されるものとしてもよいし、食器乾燥器に適用されたものとしてもよい。またキッチンに設置される吊戸棚１に限定されずリビングなどに設置されるものであってもよいことは言うまでもない。
【符号の説明】
【００３２】
１      吊戸棚
２      キャビネット枠
２１ａ    固定軸部
２５，２６      昇降ガイドレール
２７，２８      移動ガイドレール
３      昇降ラック
３６      溝部
５      ブラケット
７      付勢部材
８      リンク部材
８０      一端部
８１      他端部
８２      スライド孔
【図１】
0005571457.tif 000002
【図２】
0005571457.tif 000003
【図３】
0005571457.tif 000004
【図４】
0005571457.tif 000005
【図５】
0005571457.tif 000006